(57)【特許請求の範囲】
【請求項１】
リソース配分方法であって、
基地局は、サブフレーム内の物理ダウンリンク制御チャネル(PDCCH)の占用可能な制御チャンネルエレメント(CCE)リソースに基づいてPDCCHアグリゲーショングループの数量を計算し、その中に、最大のPDCCHアグリゲーションをPDCCHアグリゲーショングループとすることと、
前記基地局は、全てのPDCCHアグリゲーショングループの中間、少なくとも1つのアグリゲーショングループを公共用搜索領域として設定することと、
前記基地局は、ユーザ機器(UE)情報及び公用情報に基づいて、空間区分関数を用いてUE専用搜索領域が所在するPDCCHアグリゲーショングループを確定することと、
前記基地局は、確定したUE専用搜索領域が所在するPDCCHアグリゲーショングループ内でUE専用搜索領域の位置を探してPDCCHのリソース配分を行うことを備えている。
【請求項２】
空間区分関数を用いてUE専用搜索領域が所在するPDCCHアグリゲーショングループを確定するステップは、
前記基地局が全てのPDCCHアグリゲーショングループを複数のサブ空間に区分し、前記サブ空間ごとに複数のPDCCHアグリゲーショングループを含むステップと、
前記基地局がUEの識別情報、スロット番号及びサブフレーム番号に基づいて、且つサブ空間区分関数を用いて前記UE専用搜索領域が所在するサブ空間を確定するステップと、
前記基地局がグループ区分関数を用いて前記UE専用搜索領域が所在するサブ空間内でのPDCCHアグリゲーショングループを確定するステップを備えている請求項１に記載の方法。
【請求項３】
前記最大のPDCCHアグリゲーションが8個CCEである請求項１に記載の方法。
【請求項４】
さらに、PDCCHアグリゲーショングループの数量を計算するステップの前に、基地局がセルアンテナ数量、セル帯域幅及び制御フォーマット指示などの情報に基づいて前記PDCCHの占用可能なCCEリソースを計算する請求項１に記載の方法。
【請求項５】
ブラインド検出方法であって、
ユーザ機器(UE)は、予め設定したブラインド検出方式に従って、全ての物理ダウンリンク制御チャネル(PDCCH)アグリゲーショングループの中間、少なくとも1つのアグリゲーショングループで公共用制御情報を検出することと、
前記UEは、UEの識別情報と公用情報に基づいて、予め設定した空間区分関数に応じて前記UE専用搜索領域が所在するPDCCHアグリゲーショングループを確定することと、
前記UEは、前記UE専用搜索領域が所在するPDCCHアグリゲーショングループ及びこのPDCCHアグリゲーショングループに隣接するグループに対して、予め設定したブラインド検出方式に従ってUE専用制御情報を検出することを備えている。
【請求項６】
前記UEが予め設定した空間区分関数に応じて前記UE専用搜索領域が所在するPDCCHアグリゲーショングループを確定するステップは、
前記UEが予め設定したサブ空間区分関数を用いて前記UE専用搜索領域が所在するサブ空間を確定するステップ、及び
前記UEが予め設定したグループ区分関数を用いて前記UE専用搜索領域が所在するサブ空間内でのPDCCHアグリゲーショングループを確定するステップを備えている請求項５に記載の方法。
【請求項７】
前記UEが公共用制御情報を検出するステップの前に、
前記UEが複数回のブラインド検出に統計学習を行い、最終のブラインド検出方式を確定することをさらに備えている請求項５に記載の方法。
【請求項８】
前記予め設定したブラインド検出方式は、アグリゲーション逓増の方式とアグリゲーション逓減の方式の少なくとも1つを備えている請求項５に記載の方法。
【請求項９】
基地局であって、
サブフレーム内の物理ダウンリンク制御チャネル(PDCCH)の占用可能な制御チャンネルエレメント(CCE)リソースに基づいてPDCCHアグリゲーショングループの数量を計算し、その中に、最大のPDCCHアグリゲーションをPDCCHアグリゲーショングループとするように設置されるアグリゲーショングループ計算モジュールと、
全てのPDCCHアグリゲーショングループの中間に、少なくとも1つのアグリゲーショングループを公共用搜索領域として設定するように設置される公共用搜索領域設置モジュールと、
UE情報及び公用情報に基づいて、空間区分関数を用いてUE専用搜索領域が所在するPDCCHアグリゲーショングループを確定するように設置されるユーザ機器(UE)専用制御情報確定モジュールと、
確定したUE専用搜索領域が所在するPDCCHアグリゲーショングループ内でUE専用搜索領域の位置を探し、且つPDCCHのリソース配分を行うように設置されるリソース配分モジュールを備えている。
【請求項１０】
前記UE専用搜索領域確定モジュールは、
全てのPDCCHアグリゲーショングループを複数のサブ空間に区分し、サブ空間ごとに複数のPDCCHアグリゲーショングループを含むするように設置される空間区分サブモジュールと、
UEの識別情報、スロット番号及びサブフレーム番号に基づいて、且つ、サブ空間区分関数を用いて前記UE専用搜索領域が所在するサブ空間を確定するように設置される第1確定サブモジュールと、
基地局がグループ区分関数を用いて前記UE専用搜索領域が所在するサブ空間内でのPDCCHアグリゲーショングループを確定するように設置される第2確定サブモジュールを備えている請求項９に記載の基地局。
【請求項１１】
前記最大のPDCCHアグリゲーションが8個CCEである請求項９に記載の基地局。
【請求項１２】
ユーザ機器(UE)であって、
予め設定したブラインド検出方式に従って、全ての物理ダウンリンク制御チャネル(PDCCH)アグリゲーショングループの中間に、少なくとも1つのアグリゲーショングループで公共用制御情報を検出するように設置される公共用制御情報検出モジュールと、
UEの識別情報と公用情報に基づいて、予め設定した空間区分関数に応じて前記UE専用搜索領域が所在するPDCCHアグリゲーショングループを確定するように設置されるUE専用制御情報確定モジュールと、
前記UE専用搜索領域が所在するPDCCHアグリゲーショングループ及びこのPDCCHアグリゲーショングループに隣接するグループに対して、予め設定したブラインド検出方式に従ってUE専用制御情報を検出するように設置されるUE専用制御情報検出モジュールを備えている。
【請求項１３】
前記UE専用制御情報確定モジュールは、
予め設定したサブ空間区分関数を用いて前記UE専用搜索領域が所在するサブ空間を確定するように設置される第1確定サブモジュール、及び
予め設定したグループ区分関数を用いて前記UE専用搜索領域が所在するサブ空間内でのPDCCHアグリゲーショングループを確定するように設置される第2確定サブモジュールを備えている請求項１２に記載のユーザ機器。
【請求項１４】
前記公共用制御情報検出モジュールは、さらに、複数回のブラインド検出に対して統計学習を行い、最終的な検出方式を確定するように設置される請求項１２に記載のユーザ機器。
【請求項１５】
前記予め設定したブラインド検出方式は、アグリゲーション逓増の方式とアグリゲーション逓減の方式の少なくとも1つを備えている請求項１２に記載のユーザ機器。
【請求項１６】
リソース配分システムであって、
サブフレーム内の物理ダウンリンク制御チャネル(PDCCH)の占用可能な制御チャンネルエレメント(CCE)リソースに基づいてPDCCHアグリゲーショングループの数量を計算し、その中に、最大のPDCCHアグリゲーションをPDCCHアグリゲーショングループとするように設置されるアグリゲーショングループ計算モジュール、
全てのPDCCHアグリゲーショングループの中間に、少なくとも1つのアグリゲーショングループを公共用搜索領域として設定するように設置される公共用搜索領域設置モジュール、
UE情報及び公用情報に基づいて、空間区分関数を用いてUE専用搜索領域が所在するPDCCHアグリゲーショングループを確定するように設置される第1ユーザ機器(UE)専用制御情報確定モジュール、及び
確定した前記UE専用搜索領域が所在するPDCCHアグリゲーショングループ内でUE専用搜索領域の位置を探してPDCCHのリソース配分を行うように設置されるリソース配分モジュールを含む基地局と、
予め設定したブラインド検出方式に従って、全てのPDCCHアグリゲーショングループの中間に、少なくとも1つのアグリゲーショングループに公共用制御情報を検出するように設置される公共制御情報検出モジュール、
UEの識別情報と公用情報に基づいて、空間区分関数に応じてUE専用搜索領域が所在するPDCCHアグリゲーショングループを確定するように設置される第2UE専用制御情報確定モジュール、及び
前記UE専用搜索領域が所在するPDCCHアグリゲーショングループ及びこのPDCCHアグリゲーショングループに隣接するグループに対して、予め設定したブラインド検出方式に従ってUE専用制御情報を検出するように設置されるUE専用制御情報検出モジュールを含むユーザ機器を備えているリソース配分システム。
【発明の詳細な説明】
【技術分野】
【０００１】
本発明は、通信分野に関し、特にロング・ターム・エボリューションダウンリンク制御チャネルに用いるリソース配分方法及びシステム、ブラインド検出方法、基地局並びにユーザ機器に関する。
【背景技術】
【０００２】
物理ダウンリンク制御チャネル(Physical Downlink Control Channel、PDCCH)は、ロング・ターム・エボリューション(Long Term Evolution、LTE)システムにおける非常に重要な1つのダウンリンク物理チャネルであり、PDCCHを介して伝送されるダウンリンク制御情報は、ユーザ機器(User Equipment、UE)の物理アップリンク共有チャネル(Physical Uplink Shared Channel、PUSCH)のスケジューリング及び占用するリソースの配分に用いることができ、UEに物理ダウンリンク共有チャネル(Physical Downlink Shared Channel、PDSCH)においてそれに関連な業務データの変調方式及びリソース占用状況などを知らせることにより、UEが業務データに対する正確に受信・デコードすることを実現しているなどに用いることもできる。PDCCHの占用可能な直交周波数区分多重(Orthogonal Frequency Division Multiplexing、OFDM)符号数が、物理制御フォーマット指示チャネル(Physical Control Format Indicator Channel、PCFICH)に伝送する内容により確定する。ハイブリッド自動再送要求(Hybrid Automatic Repeat Request、HARQ)情報があれば、PCFICHにより確定したリソースは、さらに一部が物理ハイブリッド自動再送要求指示チャネル(Physical Hybrid-ARQ Indicator Channel、PHICH)に占用されてから、残ったリソースがはじめてPDCCHに用いる。LTEのプロトコルには、制御チャンネルエレメント(Control Channel Element、CCE)を基本単位としてPDCCHの占用するリソースを配分して、最後にCCEを具体的な物理リソースにマッピングすることを規定している。同時に、プロトコルには、UEが、受信したデータに対してCCEを基本単位としてブラインド検出を行い、このUEに属する制御情報を解析することを規定している。
【０００３】
従来、CCEのリソース配分は、いずれも直接に1つのCCEを単位として行い、あるUEが異なる伝送時間間隔(Transmission Time Interval、TTI)内に占用するCCE数(即ち、アグリゲーション)が同じではなければ、基地局がリソース配分を行うときに全部的に計算し直す必要があり、同じ道理でUEがブラインド検出ときの捜索位置も計算し直す必要があり、このように、リソース配分とブラインド検出とのいずれかに不便をもたらす。同時に、制御チャネルのデコードレートがダウンリンクデータの復調デコードに影響を及ぼし、全システムのアップリンク流量とダウンリンク流量にも影響を及ぼす。PDCCHの送信処理速度及び受信処理速度を向上し、アップリンク流量とダウンリンク流量を確保するために、リソース配分柔軟性を保持するとともにリソース配分効率を向上させ、基地局側リソース配分複雑度を低下させ、UEブラインド検出次数を低減する必要があり、しかしながら、従来、前記課題を効果的に解決する方案がまだ提出されていない。
【発明の概要】
【発明が解決しようとする課題】
【０００４】
本発明は、従来の技術にPDCCHのリソース配分方案が複雑であることによるPDCCHのリソース配分効率を低下させる問題を考慮してなされたものであり、そこで、従来の技術における前記課題を解決するために本発明は、主にロング・ターム・エボリューションダウンリンク制御チャネルに用いるリソース配分方法及びシステム、ブラインド検出方法、基地局並びにユーザ機器を提供することを目的とする。
【課題を解決するための手段】
【０００５】
本発明の実施例にすれば、リソース配分方法を提供する。
【０００６】
本発明の実施例に係る方法において、基地局は、サブフレーム内でPDCCHの占用可能なCCEリソースに基づいてPDCCHアグリゲーショングループの数量を計算し、その中に、最大のPDCCHアグリゲーションをPDCCHアグリゲーショングループとすることと、基地局が全てのPDCCHアグリゲーショングループの中間に、少なくとも1つのアグリゲーショングループを公共用搜索領域として設定することと、基地局は、UE情報及び公用情報に基づいて、空間区分関数を用いてUE専用搜索領域が所在するPDCCHアグリゲーショングループを確定することと、基地局は、確定したUE専用搜索領域が所在するPDCCHアグリゲーショングループ内でUE専用搜索領域の位置を探してPDCCHのリソース配分を行うことを備えている。
【０００７】
本発明の実施例によって、さらにブラインド検出方法を提供する。
【０００８】
本発明の実施例に係る方法において、UEは、予め設定したブラインド検出方式に従って、全てのPDCCHアグリゲーショングループの中間に、少なくとも1つのアグリゲーショングループで公共用制御情報を検出することと、UEは、UEの識別情報と公用情報に基づいて、予め設定した空間区分関数に応じてUE専用搜索領域が所在するPDCCHアグリゲーショングループを確定することと、UEは、UE専用搜索領域が所在するPDCCHアグリゲーショングループ及びこのPDCCHアグリゲーショングループに隣接するグループに対して、予め設定したブラインド検出方式に従ってUE専用制御情報を検出することを備えている。
【０００９】
本発明の実施例によって、さらに基地局を提供する。
【００１０】
本発明の実施例に係る基地局において、
サブフレーム内のPDCCHの占用可能なCCEリソースに基づいてPDCCHアグリゲーショングループの数量を計算し、その中に、最大のPDCCHアグリゲーションをPDCCHアグリゲーショングループとするように設置されるアグリゲーショングループ計算モジュールと、
全てのPDCCHアグリゲーショングループの中間に、少なくとも1つのアグリゲーショングループを公共用搜索領域として設定するように設置される公共用搜索領域設置モジュールと、
UE情報及び公用情報に基づいて、空間区分関数を用いてUE専用搜索領域が所在するPDCCHアグリゲーショングループを確定するように設置されるUE専用制御情報確定モジュールと、
確定したUE専用搜索領域が所在するPDCCHアグリゲーショングループ内でUE専用搜索領域の位置を探してPDCCHのリソース配分を行うように設置されるリソース配分モジュールを備えている。
【００１１】
本発明の実施例によって、さらにユーザ機器を提供する。
【００１２】
本発明の実施例にかかるユーザ機器において、
予め設定したブラインド検出方式に従って、全てのPDCCHアグリゲーショングループの中間に、少なくとも1つのアグリゲーショングループで公共用制御情報を検出するように設置される公共用制御情報検出モジュールと、
UEの識別情報と公用情報に基づいて、予め設定した空間区分関数に応じてUE専用搜索領域が所在するPDCCHアグリゲーショングループを確定するように設置されるUE専用制御情報確定モジュールと、
UE専用搜索領域が所在するPDCCHアグリゲーショングループ及びこのPDCCHアグリゲーショングループに隣接するグループに対して、予め設定したブラインド検出方式に従ってUE専用制御情報を検出するように設置されるUE専用制御情報検出モジュールを備えている。
【００１３】
本発明の実施例によって、さらにリソース配分システムを提供する。
【００１４】
本発明の実施例に係るシステムにおいて、
サブフレーム内のPDCCHの占用可能なCCEリソースに基づいてPDCCHアグリゲーショングループの数量を計算し、その中に、最大のPDCCHアグリゲーションをPDCCHアグリゲーショングループとするように設置されるアグリゲーショングループ計算モジュール、
全てのPDCCHアグリゲーショングループの中央の少なくとも1つのアグリゲーショングループを公共用搜索領域として設定するように設置される公共用搜索領域設置モジュール、  UE情報及び公用情報に基づいて、空間区分関数を用いてUE専用搜索領域が所在するPDCCHアグリゲーショングループを確定するように設置される第1UE専用制御情報確定モジュール、及び
確定したUE専用搜索領域が所在するPDCCHアグリゲーショングループ内でUE専用搜索領域の位置を探してPDCCHのリソース配分を行うように設置されるリソース配分モジュールを含む基地局と、
予め設定したブラインド検出方式に従って、全てのPDCCHアグリゲーショングループの中間に、少なくとも1つのアグリゲーショングループで公共用制御情報を検出するように設置される公共用制御情報検出モジュール、
UEの識別情報と公用情報に基づいて、空間区分関数に応じてUE専用搜索領域が所在するPDCCHアグリゲーショングループを確定するように設置される第2UE専用制御情報確定モジュール、及び
UE専用搜索領域が所在するPDCCHアグリゲーショングループ及びこのPDCCHアグリゲーショングループに隣接するグループに対して、予め設定したブラインド検出方式に従ってUE専用制御情報を検出するように設置されるUE専用制御情報検出モジュールを含むユーザ機器を備えている。
【発明の効果】
【００１５】
従来の技術に比べて、本発明によって、最大のCCEアグリゲーションに従ってグループ分け及び異なるアグリゲーションCCEのリソース配分を行っていることで、L-CCEアグリゲーション内の選択可能なアグリゲーションのグループ番号の統一を確保し、配分方式の簡素化を実現し、PDCCHのリソース配分の効率を向上させている。
【図面の簡単な説明】
【００１６】
ここで説明する図面は、本発明をさらに理解することに用いるものであり、本出願の一部を構成しており、本発明に係る模式的な実施例及びその説明は、本発明を解釈することに用いられるが、本発明に対する不当な限定となることではない。図面において、
【図１】本発明の実施例に係るリソース配分方法のフローチャート図。
【図２】本発明の実施例に係るリソース配分方法の好ましい処理方案のフローチャート図。
【図３】（ａ）本発明の実施例に係るリソース配分過程でのCCE番号及び配分模式図。
【図３】（ｂ）本発明の実施例に係るリソース配分過程でのCCE番号及び配分模式図。
【図３】（ｃ）本発明の実施例に係るリソース配分過程でのCCE番号及び配分模式図。
【図４】本発明の実施例に係るUEブラインド検出の異なるCCEアグリゲーション模式図。
【図５】本発明の実施例に係るブラインド検出方法のフローチャート図。
【図６】本発明の実施例に係るブラインド検出方法の好ましい処理方案のフローチャート図。
【図７】本発明の実施例に係る基地局の構造ブロック図。
【図８】本発明の実施例に係るユーザ機器の構造ブロック図。
【図９】本発明の実施例に係るリソース配分システムのブロック図。
【発明を実施するための形態】
【００１７】
本発明は、主に、最大のCCE(L-CCE)アグリゲーションに従ってグループ分け及び異なるアグリゲーションCCEのリソース配分を行い、L-CCEアグリゲーション内の選択可能なアグリゲーションのグループ番号統一を確保し、配分方式の簡素化を実現することを主な要旨とする。リソースグリッドの中間を公共用搜索領域として設定し、リソース空間を区分関数に応じて複数のサブ空間に分け、特定のUE専用制御情報の占用するリソース配分空間の大きさを低減させ、UE専用制御情報が占用するリソースの確定は、まずサブ空間、次にL-CCEグループ、最後にCCEの過程に従って行われ、粗粒度から細粒度までのリソース配分方式を表している。
【００１８】
本発明の目的、技術基準及びメリットをよりはっきりにさせるために、以下、図面及び具体的な実施例を参照して、本発明をさらに詳しく説明する。
【００１９】
方法の実施例
本発明に係る実施例によって、LTE PDCCHに用いるリソース配分方法を提供している。
【００２０】
図1は本発明の実施例に係るダウンリンク制御チャネルリソース配分方法のフローチャート図であり、図1に示すように、この方法において、
基地局は、サブフレーム内のPDCCHの占用可能なCCEリソースに基づいてPDCCHアグリゲーショングループの数量を計算し、その中に、最大のPDCCHアグリゲーションをPDCCHアグリゲーショングループとするステップS102と、
基地局は、全てのPDCCHアグリゲーショングループの中間に、少なくとも1つのアグリゲーショングループを公共用搜索領域として設定するステップS104と、
基地局は、UE情報及び公用情報に基づいて、空間区分関数を用いてUE専用搜索領域が所在するPDCCHアグリゲーショングループを確定するステップS106と、
基地局は、確定したPDCCHアグリゲーショングループ内でUE専用搜索領域の位置を探してPDCCHのリソース配分を行うステップS108を備えている。
【００２１】
次に、図2を参照して前記各処理の詳細を詳しく説明する。図2は本発明の実施例に係るリソース配分方法の好ましい処理方案のフローチャート図であり、図2に示すように、この処理は、具体的に以下のステップを備えている。
【００２２】
ステップS202で、k個(k,k∈{0,1, …9})サブフレーム内のPDCCHの占用可能な最多のリソース数に基づいて、PDCCH最大のアグリゲーションLに従ってL-CCEグループ数を計算する。
【００２３】
例えば、現行プロトコルL = 8(プロトコルが調整すると、Lが相応に調整してもよい)によって、20Mセル、ダブルアンテナ、制御フォーマット指示(Control Format Indicator、CFI)=3、PHICHが3グループである配置に対して、CCE数NCCE,k=87、8-CCEグループ数NL-CCE,k=11であり、他の帯域幅、他の配置での計算方法は、これと類似であるため、ここで贅言しない。
【００２４】
その中、CCEの数は、以下の方法によって計算して得ることができる。
【００２５】
まず、セルアンテナ数、セル帯域幅及び本TTI内のCFIによって制御ドメイン内の総リソースエレメントグループ(Resource Element Group、REG)数を確定した後、PCFICHとPHICHが占用するREG数をそれぞれ計算し、総REG数からPCFICH及びPHICHが占用するREG数を引いてPDCCHの占用可能なREG数を得て、最後に1個CCEが9個REGに等しい関係に基づいてCCEの数を確定する。
【００２６】
ステップS204では、計算で得たL-CCEグループ数に基づいて、すべてのL-CCEグループをUE専用搜索領域として定義し、中間の2つのL-CCEグループを公共用搜索領域として設定し、L-CCEグループを単位としてL-CCEグループに対して0、1…L-1に従って番号付けを行い、且つ、L-CCEグループをN個サブ空間に区分して番号を付け、異なる数のサブ空間の区分方法が同じである。
【００２７】
図3(a)に示すように、N=2を例として、サブ空間内のL-CCEグループの最大番号がN0,L=NL-CCE,k/N=5であり、各自サブ空間内に0、1…4の順番に従って中央から両端にL-CCEグループに対して番号付けを行い、公共搜索領域が、図3(b)に示すように、L-CCEグループ内番号が図3(c)に示す。
【００２８】
ステップS206では、UE専用制御情報があるかどうかを判断し、あると、ステップS208を実行し、ないと、本フローを終了する。
【００２９】
ステップS208では、UEのID、スロット番号ns, ns∈{0,1, …19}及びサブフレーム番号kに基づいて、サブ空間区分関数f(UeID,k)=Ykmod NによりUE専用制御情報が占用するCCEは所在するサブ空間Sk,UEIDを確定し、その中のYkがすでに36.212プロトコルに出される。
【００３０】
ステップS210では、計算したYk値に基づいて、グループ区分関数g(UeID,k)=L・{Ykmod N0,L}によりUE専用制御情報が占用するCCEはサブ空間Sk,UEID内のL-CCEグループ番号NOk,UEIDを確定する。
【００３１】
ステップS212では、PDCCHのアグリゲーションに基づいて、サブ空間番号がSk,UEIDで、空間内番号がNOk,UEIDであるL-CCEグループ内でアグリゲーションを満たす位置を探して、UE専用制御情報の占用するCCEの配分を完成し、可能なPDCCHアグリゲーションを図4に示す。
【００３２】
好ましくは、条件を満たすCCEの搜索をより良く完成させるために、基地局が1つのリソース配分表を維持することによって快速サーチを達成することができる。
【００３３】
基地局が前記処理を行った後、UE側において、UEがPDCCHを受信した後PDCCHに対してブラインド検出を行って、以下の処理を行う。
【００３４】
本発明に係る実施例によって、さらにLTE PDCCH用ブラインド検出方法を提供している。
【００３５】
図5は本発明の実施例に係るブラインド検出方法のフローチャート図であり、図5に示すように、この方法は、
UEは予め設定したブラインド検出方式に従って、全てのPDCCHアグリゲーショングループの中間に、少なくとも1つのアグリゲーショングループで公共用制御情報を検出し、
好ましくは、全てのPDCCHアグリゲーショングループの中間に、2つのアグリゲーショングループ(16個CCE)で公共用制御情報を検出し、プロトコルを変更すると、プロトコルにより規定した公共用ロジックチャネルの数などに基づいて確定するステップS502と、
UEがその識別情報と公用情報に基づいて、予め設定した空間区分関数に応じてUE専用搜索領域が所在するPDCCHアグリゲーショングループを確定するステップS504と、
UEがPDCCHアグリゲーショングループ及びこのPDCCHアグリゲーショングループに隣接するグループに対して、予め設定したブラインド検出方式に従ってUE専用制御情報を検出するステップS506を備えている。
【００３６】
次に、図6を参照して前記の各処理の詳細を詳しく説明する。図6は本発明の実施例に係るブラインド検出方法の好ましい処理方案のフローチャート図であり、図6に示すように、このフローは、
UEが中間の2つのL-CCEグループ(前記例を受けてL=8)のデータを取り出し、予め設定した検出方式に従って公共用制御情報のブラインド検出を行って、ここでの検出方式はアグリゲーション逓減の方式或いはアグリゲーション逓増の方式を含んで、
まず、アグリゲーションが8であるCCE検出(2回)を行い、成功すると、他のアグリゲーションCCEのブラインド検出を行わなく、失敗すると、アグリゲーションが4であるCCEブラインド検出を4回行い、成功すると、制御チャネルの具体的な内容を解析し、失敗すると、公共用制御チャネルを搜索しないことを表明して、
なお、初めて検出する場合には、UEが先験情報を有しないと、ランダムに一種方式、例えば逓増方式を確定してブラインド検出を行うことができ、相応の回数の検出を行った後、ブラインド検出の平均時間を分析し、他の方式、例えば逓減方式を再選択して、何回重複した後、ブラインド検出の平均時間を分析し、両者の平均時間を比較し、一般の場合に、UEが存在するセルは下に発信したUE専用スケジューリング情報の占用するリソースの数の変化が頻繁ではなく、従って、UEが、ブラインド検出時間が短いブラインド検出方式を選択して、ある時間内での安定なブラインド検出方式とすることができ、同時に、1つのブラインド検出の時間閾値を設定し、この閾値を超えると、さらにブラインド検出方式を再選択するステップS602と、
UEは基地局と同じサブ空間区分関数f(UeID,k)を用いて、専用制御情報の占用するCCEのサブ空間を確定し、UEが計算結果をサブフレームに従って保存することができ、これにより、次のフレームに対応するサブフレームに直接に使用するステップS604と、
UEは基地局と同じL-CCEグループ区分関数g(UeID,k)に応じて、専用制御情報の占用するL-CCEグループを確定し、このL-CCEグループ及び隣りのL-CCEグループデータを取り出す。UEが計算結果をサブフレームに従って保存することもでき、これにより、次のフレームに対応するサブフレームに直接に使用するステップS606と、
UEは、取り出した2つのL-CCEにおけるデータに対して、アグリゲーション逓減(或逓増)の方式でブラインド検出を行って、まず8-CCEアグリゲーションのブラインド検出を2回行い、起点がそれぞれ0と0であり、失敗すると、前のL-CCEグループ内で4-CCEアグリゲーションのブラインド検出を2回行い、起点が0と4であり、また失敗すると、前の12個CCEに対して2-CCEアグリゲーションのブラインド検出を6回行い、起点が0、2、4、6、0(次のL-CCEグループ内)、2(次のL-CCEグループ内)であり、やはり失敗すると、前のL-CCEグループ内で1-CCEアグリゲーションのブラインド検出を6回行い、起点が0、1、2、3、4、5であり、依然として正確にデコードできないと、本UEに属する専用制御情報が存在しないことを認めるステップS608を備えている。
【００３７】
装置の実施例
本発明に係る実施例によって、さらに基地局を提供している。
【００３８】
図7は本発明の実施例に係る基地局の構造ブロック図であり、図7に示すように、この基地局は、
サブフレーム内の物理ダウンリンク制御チャネル(PDCCH)の占用可能な制御チャンネルエレメント(CCE)リソースに基づいてPDCCHアグリゲーショングループの数量を計算し、その中に、最大のPDCCHアグリゲーションをPDCCHアグリゲーショングループとし、好ましくは、最大のPDCCHアグリゲーションが8個CCEであるように設置されるアグリゲーショングループ計算モジュール12と、
アグリゲーショングループ計算モジュール12に接続し、全てのPDCCHアグリゲーショングループの中間に、少なくとも1つのアグリゲーショングループを公共用搜索領域として設定し、好ましくは、全てのPDCCHアグリゲーショングループうち、2つのアグリゲーショングループを公共用制御情報として設定し、プロトコルを変更すると、プロトコルにより規定した公共用ロジックチャネルの数などに基づいて公共用搜索領域を確定するように設置される公共用搜索領域設置モジュール14と、
アグリゲーショングループ計算モジュール12に接続し、UE情報及び公用情報に基づいて、空間区分関数を用いてUE専用搜索領域が所在するPDCCHアグリゲーショングループを確定するように設置されるUE専用制御情報確定モジュール16と、
UE専用制御情報確定モジュール16に接続し、確定したPDCCHアグリゲーショングループ内でUE専用搜索領域の位置を探してPDCCHのリソース配分を行うように設置されるリソース配分モジュール18を備えている。
【００３９】
その中に、UE専用搜索領域確定モジュール16は、
全てのPDCCHアグリゲーショングループを複数のサブ空間に区分し、サブ空間ごとに複数のPDCCHアグリゲーショングループを含むするように設置される空間区分サブモジュール(図示せず)と、
UEの識別情報、スロット番号及びサブフレーム番号に基づいて、且つサブ空間区分関数を用いてUE専用搜索領域が所在するサブ空間を確定するように設置される第1確定サブモジュール(図示せず)と、
基地局がグループ区分関数を用いてUE専用搜索領域が所在するサブ空間内でのPDCCHアグリゲーショングループを確定するように設置される第2確定サブモジュール(図示せず)を含んでもよい。
【００４０】
本発明に係る実施例によって、さらにユーザ機器を提供している。
【００４１】
図8は本発明の実施例に係るユーザ機器の構造ブロック図であり、図8に示すように、このユーザ機器は、
予め設定したブラインド検出方式に従って、全てのPDCCHアグリゲーショングループの中間に、少なくとも1つのアグリゲーショングループで公共用制御情報を検出するように設置され、好ましくは、全てのPDCCHアグリゲーショングループの中間に、2つのアグリゲーショングループで公共用制御情報を検出し、ユーザ機器は、アグリゲーション逓増の方式とアグリゲーション逓減の方式の少なくとも1つに従ってブラインド検出が行われる。しかも、ユーザ機器は、複数回のブラインド検出に対して統計学習を行い、最終的な検出方式を確定する公共用制御情報検出モジュール22と、
その識別情報と公用情報に基づいて、予め設定した空間区分関数に応じてUE専用搜索領域が所在するPDCCHアグリゲーショングループを確定するように設置されるUE専用制御情報確定モジュール24と、
UE専用制御情報確定モジュール24に接続し、PDCCHアグリゲーショングループ及びこのPDCCHアグリゲーショングループに隣接するグループに対して、予め設定したブラインド検出方式に従ってUE専用制御情報を検出するように設置されるUE専用制御情報検出モジュール26を備えている。
【００４２】
UE専用制御情報確定モジュール24は、
予め設定したサブ空間区分関数を用いてUE専用搜索領域が所在するサブ空間を確定するように設置される第1確定サブモジュール(図示せず)、及び
予め設定したグループ区分関数を用いてUE専用搜索領域が所在するサブ空間内のPDCCHアグリゲーショングループを確定するように設置される第2確定サブモジュール(図示せず)を備えている。
【００４３】
システムの実施例
本発明の実施例によって、さらにLTE PDCCH用リソース配分システムを提供している。
【００４４】
図9は、本発明の実施例に係るリソース配分システムのブロック図であり、図9に示すように、このシステムは基地局10とユーザ機器20を備えている。
【００４５】
基地局10はユーザ機器20と接続し、基地局10とユーザ機器20との具体的な構造については、図7と図8を参照して、ここで贅言しない。
【００４６】
上述説明したように、本発明の前記の技術基準によって、最大のCCEアグリゲーションに従ってグループ分け及び異なるアグリゲーションCCEのリソース配分を行い、L-CCEアグリゲーション内の選択可能なアグリゲーションのグループ番号の統一を確保し、配分方式の簡素化を実現させる。リソースグリッドの中間を公共用搜索領域として設定し、リソース空間を区分関数に応じて複数のサブ空間に分け、特定のUE専用制御情報が占用するリソース配分空間の大きさを低減させ、UE専用制御情報の占用するリソースの確定は、まずサブ空間、次にL-CCEグループ、最後にCCEの過程に従って行われ、粗粒度から細粒度までのリソース配分方式を表し、PDCCHのリソース配分の効率を向上させている。
【００４７】
上述の説明は本発明の実施例のみであり、本発明を限定するためのものではなく、当業者にとって、本発明に様々な変更及び変化を有することができる。本発明の精神と原則内で行われる種々の修正、均等置換え、改良などは、全て本発明の特許請求の範囲に含まれるべきである。
【産業上の利用可能性】
【００４８】
本発明は、最大のCCEアグリゲーションに従ってグループ分け及び異なるアグリゲーションCCEのリソース配分を行い、L-CCEアグリゲーション内の選択可能なアグリゲーションのグループ番号の統一を確保し、配分方式の簡素化を実現し、PDCCHのリソース配分の効率を向上させる。
【図１】
0005295430.tif 000002
【図２】
0005295430.tif 000003
【図３（ａ）】
0005295430.tif 000004
【図３（ｂ）】
0005295430.tif 000005
【図３（ｃ）】
0005295430.tif 000006
【図４】
0005295430.tif 000007
【図５】
0005295430.tif 000008
【図６】
0005295430.tif 000009
【図７】
0005295430.tif 000010
【図８】
0005295430.tif 000011
【図９】
0005295430.tif 000012